(57)【要約】【課題】収納する対象を自在に変更することができ、汎用性に富み、かつ収納性に優れた電子機器保持具を提供すること。【解決手段】電子機器保持具１は、板状部２ａ，２ｂ、及び、板状部２ａ，２ｂのそれぞれの辺縁部の少なくとも一部同士を接続する接続部２ｃ、を有し、接続部２ｃにおいて板状部２ａ，２ｂが向かい合わせに二つ折り可能とされるカバー本体２と、棒状部３ａ、及び、棒状部３ａの両端部に配置されて棒状部３ａに対して同側に先端部を有する一対の鉤状部３ｂ，３ｃ、を有する掛止部材３と、を有し、板状部２ａ，２ｂのうち一方は、二つ折りされた際の内側に電子機器を保持する保持部６を有する。鉤状部３ｂ，３ｃ間の長さである第１長さＬ１が、接続部２ｃにおける二つ折りの折り目方向に沿った長さである第２長さＬ２以上とされて、接続部２ｃに掛止部材３が折り目方向に沿って掛止可能とされている。【選択図】図１
0003202134.tif 000002
【実用新案登録請求の範囲】
【請求項１】
一対の板状部、及び、前記一対の板状部のそれぞれの辺縁部の一部同士を接続する接続部、を有し、前記接続部において前記一対の板状部が向かい合わせに二つ折り可能とされるカバー本体と、
棒状部、及び、前記棒状部の両端部に配置されて前記棒状部に対して同側に先端部を有する一対の鉤状部、を有する掛止部材と、を有し、
前記一対の板状部のうち一方の板状部は、二つ折りされた際の内側に電子機器を保持する保持部を有し、
前記一対の鉤状部間の長さである第１長さが、前記接続部における二つ折りの折り目方向に沿った長さである第２長さ以上とされて、前記接続部に前記掛止部材が前記折り目方向に沿って掛止可能とされている、電子機器保持具。
【請求項２】
前記一対の板状部が所定厚さで形成されており、
前記接続部が前記所定厚さよりも厚さが薄く形成されており、かつ、
前記接続部における二つ折りの折り目方向の両端部に切り欠きが形成されることにより前記接続部近傍における前記板状部の前記折り目方向に沿った第３長さが前記第２長さよりも長くされており、
前記第１長さが前記第３長さ以下とされている、請求項１に記載の電子機器保持具。
【請求項３】
前記一対の板状部と前記接続部とが、同一の可撓性材料によって一体的に形成されている、請求項１又は請求項２に記載の電子機器保持具。
【請求項４】
収納ケース、カードケース、又は、メモ用紙を保持するメモ用紙ホルダー、のうち少なくともいずれか１つである付属部材、及び、当該付属部材の一部から延出して前記棒状部に着脱可能とされる着脱部、を有する着脱部材、を更に有する、請求項１から請求項３のうちいずれか１項に記載の電子機器保持具。
【請求項５】
前記接続部には、
当該接続部における前記折り目方向の両端部のうちいずれか一方の端部から前記第２長さの１／３以上２／３以下の長さの範囲に貫通孔が形成されている、請求項１から請求項４のうちいずれか１項に記載の電子機器保持具。
【請求項６】
前記一方の板状部には、
前記保持部に保持される電子機器のカメラレンズに対応する位置にレンズ孔が形成されている、請求項１から請求項５のうちいずれか１項に記載の電子機器保持具。
【考案の詳細な説明】
【技術分野】
【０００１】
本考案は、電子機器保持具に関し、特に、スマートフォンやタブレット端末等の情報端末を保持する電子機器保持具に関する。
【背景技術】
【０００２】
従来、スマートフォンを収納し、保護するためのカバーやケースについて、多数の提案がなされている。例えば、二つ折り形状の手帳型カバーなどが知られている。
【０００３】
このような二つ折り形状のカバーの内側に、名刺や名札、ＩＣカードなどを収納できるカード収納部を備えたカバー等が知られている（例えば、実用新案登録文献１）。
【先行技術文献】
【特許文献】
【０００４】
【特許文献１】実用新案登録第３１８９１１２号公報
【考案の概要】
【考案が解決しようとする課題】
【０００５】
実用新案登録文献１に記載のものでは、収納部に収納するカード類の枚数には制限がある。仮に、多数のカード類を収納できるよう改良したとしても、カバーの厚さが増し、携帯性に劣ることになる。収納する対象を変更することも難しい。カード収納タイプのカバーにおいては、カード類を収納できるが、他の対象（例えば、メモ帳など）を収納することが難しい。収納するカードを変更する場合にも、カードをいちいち収納部から取り出して、新たなカードを収納部に収納するという手間が必要である。
【０００６】
また、従来のカバーにおいては、硬貨や鍵などの小物を収納することも難しい。そのため、スマートフォンケースとは別に、カードケースや小銭入れ、キーケース等を別個に携帯する必要がある。
【０００７】
本考案は、上記の事情に鑑みてなされたもので、収納する対象を自在に変更することができ、汎用性に富み、かつ収納性に優れた電子機器保持具を提供することを例示的課題とする。
【課題を解決するための手段】
【０００８】
上記の課題を解決するために、本考案は以下の構成を有する。
【０００９】
（１）一対の板状部、及び、前記一対の板状部のそれぞれの辺縁部の一部同士を接続する接続部、を有し、前記接続部において前記一対の板状部が向かい合わせに二つ折り可能とされるカバー本体と、棒状部、及び、前記棒状部の両端部に配置されて前記棒状部に対して同側に先端部を有する一対の鉤状部、を有する掛止部材と、を有し、前記一対の板状部のうち一方の板状部は、二つ折りされた際の内側に電子機器を保持する保持部を有し、前記一対の鉤状部間の長さである第１長さが、前記接続部における二つ折りの折り目方向に沿った長さである第２長さ以上とされて、前記接続部に前記掛止部材が前記折り目方向に沿って掛止可能とされている、電子機器保持具。
【００１０】
本考案の電子機器保持具では、保持部に電子機器を保持することが可能であり、接続部に掛止部材が掛止可能である。その掛止部材が棒状部を有するので、棒状部に種々のオプション品（付属部材）を着脱することが可能である。例えば、電子機器保持具内に小物を収納したい場合、カードを収納したい場合、メモ用紙を収納した場合等に、各々の収納を希望する対象に応じたオプション品を掛止部材に自在に着脱可能とすることができる。
【００１１】
第１長さが第２長さ以上であるので、掛止部材を確実に接続部に折り目方向に沿って掛止可能とすることができる。接続部に掛止部材を掛止した場合に、接続部が撓んだり、しわが入ってしまったりすることがない。
【００１２】
なお、板状部の辺縁部とは、板状部の周縁全体又は周縁のうちの一部の縁を意味する。板状部が長方形等の多角形状である場合には、周縁は辺である。したがって、周縁部の一部は、複数の辺のうちの一辺である場合もその一辺の一部である場合も含む。
【００１３】
（２）前記一対の板状部が所定厚さで形成されており、前記接続部が前記所定厚さよりも厚さが薄く形成されており、かつ、前記接続部における二つ折りの折り目方向の両端部に切り欠きが形成されることにより前記接続部近傍における前記板状部の前記折り目方向に沿った第３長さが前記第２長さよりも長くされており、前記第１長さが前記第３長さ以下とされていてもよい。
【００１４】
接続部の厚さが所定厚さよりも薄いので、接続部における二つ折りが容易となる。特段事前に折り目を形成しなくても、自然と接続部で二つ折りされることとなる。第１長さが第３長さ以下であるので、掛止部材が接続部からずれてしまって板状部の方へと移動してしまうことが防止される。掛止部材の位置を確実に接続部に維持することができる。
【００１５】
（３）前記一対の板状部と前記接続部とが、同一の可撓性材料によって一体的に形成されていてもよい。
【００１６】
同一材料によって一体的に形成することで、カバー本体の製造が容易かつ低コストとなる。一枚の平面状素材から打ち抜き加工することで、一対の板状部と接続部とを少ない工程で形成することができる。また、それを可撓性材料によって形成することで、保持具としての柔軟性が増大する。例えば、掛止部材を掛止又は取り外す際にも、接続部が撓んで変形すれば作業が容易となる。板状部が変形可能であれば、オプション品のサイズ変更に対して板状部を柔軟に対応させることができる。
【００１７】
（４）収納ケース、カードケース、又は、メモ用紙を保持するメモ用紙ホルダー、のうち少なくともいずれか１つである付属部材、及び、当該付属部材の一部から延出して前記棒状部に着脱可能とされる着脱部、を有する着脱部材、を更に有してもよい。
【００１８】
電子機器保持具にオプション品としての種々の付属部材を着脱することができる。付属部材は、着脱部によって簡単に棒状部に対して着脱可能であるので、小物を収納したい場合、カード類を収納したい場合、メモ用紙を収納したい場合等の、ユーザの収納希望に対応してオプション品を電子機器保持具に取り付けることができる。着脱部により付属部材を確実に棒状部に取り付けることができるので、付属部材の着脱が容易である上に、意図しない付属部材の脱落を防止することができる。
【００１９】
（５）前記接続部には、当該接続部における前記折り目方向の両端部のうちいずれか一方の端部から前記第２長さの１／３以上２／３以下の長さの範囲に貫通孔が形成されていてもよい。
【００２０】
貫通孔に、例えばリング状に構成されたストラップを係止することにより、このストラップを用いて、電子機器保持具を二つ折りの状態で綴じる（閉鎖状態に維持する）ことができる。すなわち、貫通孔から板状部の外側に引き出したリング状のストラップをカバー本体全体に巻きかけることにより、電子機器を内部に収納したカバー本体を二つ折り状態に維持することができる。カバー本体が不用意に開くのを防止することができ、携帯性が向上する。また、使用者の指や手、腕をストラップに通しておくことにより、電子機器保持具や電子機器の落下を防止することができる。
【００２１】
（６）前記一方の板状部には、前記保持部に保持される電子機器のカメラレンズに対応する位置にレンズ孔が形成されていてもよい。
【００２２】
電子機器がカメラ機能を備える場合に、そのカメラレンズに対応する位置にレンズ孔が形成されていることにより、電子機器をカバー本体に保持したままの状態で、カメラ機能を使用して画像撮影することができる。
【００２３】
本考案の更なる目的又はその他の特徴は、以下添付図面を参照して説明される好ましい実施の形態によって明らかにされるであろう。
【考案の効果】
【００２４】
本考案によれば、収納する対象を自在に変更することができ、汎用性に富み、かつ収納性に優れた電子機器保持具を提供することができる。
【図面の簡単な説明】
【００２５】
【図１】本考案の実施形態１に係る電子機器保持具の概略斜視図である。
【図２】図１に示す電子機器保持具を構成するカバー本体を開いた状態の内側を示す上面図である。
【図３】図１に示す電子機器保持具を構成する掛止部材の斜視図である。
【図４】図１に示す電子機器保持具に着脱部材を取り付けた状態の概略斜視図である。
【図５】本考案の実施形態２に係る電子機器保持具の概略斜視図である。
【図６】図５に示す電子機器保持具を構成するカバー本体を開いた状態の内側を示す上面図である。
【図７】図５に示す電子機器保持具を構成する掛止部材の斜視図である。
【図８】本考案の実施形態３に係る電子機器保持具の概略斜視図である。
【考案を実施するための形態】
【００２６】
［実施形態１］
以下、本考案の実施形態１について図面を用いて説明する。図１は、本考案の実施形態１に係る電子機器保持具１の概略斜視図である。電子機器保持具１はカバー本体２と掛止部材３とを備える。図２は、カバー本体２を開いた状態の内側を示す上面図である。
【００２７】
カバー本体２は、図２に示すように、一対の板状部２ａ，２ｂ、及び、一対の板状部２ａ，２ｂのそれぞれの辺縁部の一部同士を接続する接続部２ｃを有する。図２は、図１に示す電子機器保持具１を構成するカバー本体２を開いた状態の上面図である。ここで、板状部２ａ，２ｂの辺縁部の一部とは、板状部が多角形である場合には、その少なくとも一つの辺、又はその一部を意味する。また、板状部が円や楕円等の角を有さない形状である場合には、その弧（円弧、楕円弧等の円や楕円の一部）を意味する。即ち、一対の板状部２ａ，２ｂが接続部２ｃによって連結された状態で、接続部２ｃを折り曲げることにより、板状部２ａと板状部２ｂとが向かい合わせとなり、重なり合うように、カバー本体２が接続部２ｃにおいて二つ折りされることが可能である。
【００２８】
接続部２ｃは、カバー本体２が折れ曲がる際の折り目の方向（折り目方向）に沿った長さ（第２長さ）Ｌ２が、後述する掛止部材３の一対の鉤状部３ｂ，３ｃ間の長さ（第１長さ）Ｌ１以下である。即ち、掛止部材３の一対の鉤状部３ｂ，３ｃ間の長さ（第１長さ）Ｌ１は、接続部２ｃの折り目方向に沿った長さ（第２長さ）Ｌ２以上である。このように第１長さＬ１が第２長さＬ２以上であるので、掛止部材３を接続部２に折り目方向に沿って掛止可能とすることができる。接続部２ｃに掛止部材３を掛止した場合に、接続部２ｃが撓んだり、しわが入ってしまったりすることを防止できる。
【００２９】
板状部２ａ，２ｂの大きさは、保持するスマートフォンやタブレット端末等の電子機器（不図示）の大きさより大きく、電子機器の表裏両面が保護されていることが好ましい。また、板状部２ａ，２ｂの形状は特に制限されないが、携帯性の観点から、保持する電子機器の形状に相似し、僅かに大きいことが好ましい。板状部２ａと板状部２ｂは同サイズ、同形状であることが好ましい。
【００３０】
接続部２ｃの厚さは、所定厚さで形成されている一対の板状部２ａ，２ｂのそれぞれの厚さよりも薄く形成されていることが好ましい。接続部２ｃの厚さを板状部２ａ，２ｂよりも薄くすることにより、カバー本体２が接続部２ｃにおいてより折れ曲がり易くなる。また、特段接続部２ｃに折り目をつけなくても、自然と接続部２ｃで二つ折りされ易くなる。
【００３１】
接続部２ｃには、折り目方向の両端部に切り欠き２ｄが形成されていることが好ましい。ここで、接続部２ｃに切り欠き２ｄが形成されている場合、前述の接続部２ｃの折り目方向に沿った長さＬ２は、この切り欠き２ｄによって短縮された状態での接続部２ｃの折り目方向に沿った長さである。したがって、板状部２ａ，２ｂの、接続部２ｃ近傍における折り目方向に沿った長さ（第３長さ）Ｌ３は、接続部２ｃの折り目方向に沿った長さ（第２長さ）Ｌ２よりも長い。そして、この切り欠き２ｄ部分に、後述する掛止部材の鉤状部を折り目方向に沿って掛止させることができる。切り欠き２ｄが形成されることにより、掛止部材３が接続部２ｃの切り欠き２ｄが形成された部分に維持され、掛止部材３が切り欠き２ｄ以外（例えば、板状部２ａ，２ｂ）へとずれてしまうことが防止される。切り欠き２ｄの形状は特に制限されないが、掛止部材３がずれてしまわないよう、接続部２ｃの中央に向かって深く切り込まれた形状が好ましい。このとき、掛止部材３の鉤状部３ｂ，３ｃ間の長さ（第１長さ）Ｌ１は、板状部２ａ，２ｂの折り目方向に沿った長さ（第３長さ）Ｌ３以下である。第１長さＬ１が第３長さＬ３以下であるので、掛止部材が接続部からずれてしまって板状部２ａ，２ｂの方へと移動してしまうことが防止される。掛止部材の位置を確実に接続部２ｃに維持することができる。
【００３２】
カバー本体２は、掛止部材３の両端部を掛止させるができる程度に弾性や可撓性を有する可撓性材料によって形成されていることが好ましい。例えば、皮革、合成皮革、布地、樹脂や、それらのうち二つ以上の組み合わせを用いることができる。更に、板状部２ａ，２ｂと接続部２ｃとが、同一の可撓性材料によって形成されていることが好ましい。特に、板状部２ａ，２ｂと接続部２ｃとが、同一の可撓性材料によって一体的に形成されていることが好ましい。一枚物の材料から抜き加工によってカバー本体２を作成することができる。
【００３３】
図３は、図１に示す電子機器保持具１を構成する掛止部材３の斜視図である。掛止部材３は、図３に示すように、棒状部３ａ、及び棒状部３ａの両端部に配置された一対の鉤状部３ｂ，３ｃを有する。鉤状部３ｂは先端部３ｄを有し、鉤状部３ｃは先端部３ｅを有し、先端部３ｄ，３ｅは、いずれも棒状部３ａに対して同側に配置される。本実施形態１では、鉤状部３ｂ，３ｃは、棒状部３ａの両端部において、棒状部３ａの延長方向に対して１８０°折り曲げられた形状を有している。なお，鉤状部３ｂ，３ｃの折れ曲がり形状は、図３のようなＪの字状に湾曲された形状に限定されず、コの字状に矩形状に屈曲された形状やその他の形状であっても良い。要は、鉤状部３ｂ，３ｃによって、掛止部材３が確実に接続部２ｃに掛止可能であればよい。
【００３４】
先端部３ｄ，３ｅ、すなわち、棒状部３ａに対して１８０°折り曲げられた部分は、一定長さだけ相互に近づく方向（すなわち、相手方の先端部に向かう方向。）に延びている。
【００３５】
棒状部３ａと先端部３ｄ，３ｅとの距離は、カバー本体２の接続部２ｃの厚さより僅かに長くなっている。したがって、鉤状部３ｂ，３ｃにおいて、棒状部３ａと先端部３ｄ，３ｅとの間にカバー本体２の接続部２ｃが挿入され、掛止部材３が安定してカバー本体２に取り付けられる。
【００３６】
掛止部材３は、棒状部３ａがカバー本体２を接続部２ｃの折り目に沿って二つ折りした場合の内側に折り込まれるように取り付けられる。このように掛止部材３を取り付けることで、電子機器保持具１の内側に着脱部材４（図４参照）を、その着脱部４ｂによって掛止部材３の棒状部３ａに掛止することができる。
【００３７】
掛止部材３の材質は、着脱部材４を掛止し、付属部材４ａの意図しない脱落を防止し得ると同時に、着脱部材４を引き抜き、意図的に脱着した場合でも破損しない、一定程度の強度を有するものが好ましい。そのような掛止部材３としては、例えば、金属製のものなどを用いることができる。
【００３８】
図４は、電子機器保持具１に着脱部材４を取り付けた状態の概略斜視図である。着脱部材４は、図４に示すように、付属部材４ａと、付属部材４ａの一部から延出して、掛止部材３の棒状部３ａに着脱可能とされる着脱部４ｂと、を有する。図４では、着脱部４ｂは棒状部３ａに掛止されている。着脱部４ｂは、付属部材４ａの一部から延出し、棒状部３ａを内部に折り込むように二つ折りされて棒状部３ａに掛止されている。そして、折れ曲がった着脱部４ｂの先端部は付属部材４ａの一部や着脱部４ｂ自身に着脱可能とされる。なお、図示はされていないが、着脱部４ｂの先端部を着脱可能とする構成としては、付属部材４ａの底面等と着脱部４ｂの先端部とに、それぞれ対極の磁石を組み込んでおくことにより、その吸着力によって底面等と先端部とを着脱可能とするものが考えられる。あるいは、例えば、付属部材４ａの底面等と着脱部４ｂの先端部とに、それぞれ係合する雄ホック及び雌ホックを配置し、着脱可能とすることも考えられる。このように掛止された着脱部材４は、着脱部材４をカバー本体２から強く引き抜く等の単純動作により、簡単に取り外すことが可能である。
【００３９】
付属部材４ａは、収納ケース、カードケース、又は、メモ用紙ホルダー、のうち少なくともいずれか１つであることが好ましい。例えば、硬貨等の小物を収納する収納ケース、名刺、ＩＣカード、磁気カード等の各種カード類を収納するカードケース、鍵を掛止するフックを備え、鍵を収納するキーケース、メモ用紙を保持するメモ用紙ホルダー、あるいは、それらを組み合わせたものであってもよい。また、小物のような収納物を収納する場合などでは、付属部材４ａの開口部を、線ファスナー等によって開閉可能なものとすることができる。付属部材４ａの材質は、特に制限されないが、例えば、カバー本体２と同様の材料を用いることができる。
【００４０】
板状部２ａ，２ｂのうち、一方の板状部には、二つ折りされた際の内側に電子機器を保持する保持部６が設けられている。図１では、板状部２ａに保持部６が設けられている。この保持部に電子機器を保持させることにより、電子機器がカバー本体２の内側に保持され、保護される。
【００４１】
保持部６としては、例えば、電子機器の背面を板状部２ａの内側に保持するシリコン素材で形成された粘着体、電子機器の側面の少なくとも一部を挟持することにより保持するホルダー等を挙げることができる。
【００４２】
［実施形態２］
次に、本考案の実施形態２について説明する。本考案の実施形態２は、上述の実施形態１と以下説明する特徴において異なる。それ以外の特徴は、実施形態１と実施形態２で共通である。なお、本考案の実施形態２について、以下説明する各特徴は、適宜本考案の実施形態１に適用可能であることは言うまでもない。
【００４３】
図５は、本考案の実施形態２に係る電子機器保持具１０の概略斜視図である。実施形態２では、図５に示すように、接続部２０ｃの一部に貫通孔２０ｅが形成されている。貫通孔２０ｅは、接続部２０ｃの折り目方向の両端部のうちいずれか一方の端部から接続部２０ｃの折り目方向に沿った長さ（第２長さ）Ｌ２の１／３以上２／３以下の長さの範囲に形成されていることが好ましく、接続部２０ｃの折り目方向に沿った長さ（第２長さ）Ｌ２の中央部分に形成されていることが更に好ましい。
【００４４】
なお、貫通孔２０ｅの、折り目方向に垂直な方向における位置は、中央部分、即ち、折り目上（あるいは、接続部２０ｃが折り曲げられた場合にその曲率が最も高い部分）が好ましい。図５及び図６では、貫通孔２０ｅは、接続部２０ｃの中央に形成されている。図６は、図５に示す電子機器保持具１０を構成するカバー本体２０を開いた状態の上面図である。貫通孔２０ｅの大きさは、ストラップ５が２本通り、結び目などによって構成された係止部５ａが貫通孔２０ｅに係止される程度の大きさであることが好ましい。
【００４５】
このような貫通孔２０ｅに、例えばリング状に構成されたストラップ５を貫通させ、係止部５ａによって係止することができる。このように係止されたストラップ５を用いて、電子機器保持具１０を二つ折りの状態で綴じる（閉鎖状態に維持する）ことができる。すなわち、貫通孔２０ｅから板状部２０ａ，２０ｂの外側に引き出したストラップ５のリング状部５ｂをカバー本体全体に巻きかけることにより、電子機器を内部に収納したカバー本体２０を二つ折り状態に維持することができる。そのため、カバー本体２０が不用意に開くのを防止することができ、携帯性が向上する。また、使用者の指や手、腕をストラップ５のリング状部５ｂに通しておくことにより、電子機器保持具１０や電子機器の落下を防止することができる。
【００４６】
貫通孔２０ｅの形成位置が、接続部２０ｃの第２長さＬ２の１／３以上２／３以下の長さの範囲以外であると、カバー本体２０を二つ折りにした状態でストラップ５をカバー本体２０に巻き掛けたとしても、ストラップ５の巻き掛け位置がカバー本体２０の上下方向（図６の上下方向）における中央位置からずれてしまい、カバー本体２０を二つ折り状態で維持することが難しい。ストラップ５がカバー本体２０から外れてしまったり、ストラップ５を巻き掛けた状態でもカバー本体２０の端がめくれ上がってしまう等の状況を誘引する。
【００４７】
図５では、ストラップ５の係止部５ａは、結び目を形成することによって、貫通孔２０ｅを通り抜けることなく、カバー本体２０の内側に係止されている。なお、係止部５ａは結び目形成に限定されない。係止部５ａが貫通孔２０ｅを通り抜けない限り、係止部５ａをカバー本体２０の内側に係止する手段は特に制限されない。
【００４８】
ストラップ５は、伸縮性を有する材料からなるものであることが好ましい。例えば、ストラップ５としては、ゴム紐等を用いることができる。
【００４９】
図７は、実施形態２の電子機器保持具１０を構成する掛止部材３０の斜視図である。実施形態２においては、図５及び図７に示すように、掛止部材３０は、無端状の細い金属製針金（例えば、ピアノ線）によって、棒状部３０ａ及び両端の鉤状部３０ｂ，３０ｃが形成されている。これにより、掛止部材３０の棒状部３０ａは、２本の並行する針金によって構成され、その２本の棒状部３０ａの間に隙間３０ｆが形成されている。そして、ストラップ５の係止部５ａが、その隙間３０ｆに配置されるため、ストラップ５の係止部５ａと掛止部材３０との干渉が防止されている。なお、本実施形態２では、掛止部材３０が無端状の細い金属製針金によって形成されているので、隙間３０ｆが棒状部３０ａから鉤状部３０ｂ，３０ｃ及び先端部３０ｄ，３０ｅの全域に亘って形成されている。しかし、ストラップ５の係止部５ａとの干渉を防止するという目的のみを考慮した場合、隙間３０ｆは、棒状部３０ａ部分にのみ形成され、又は棒状部３０ａのうち貫通孔２０ｅの近傍位置にのみ形成されていてもよい。
【００５０】
実施形態２では、図５及び図６に示すように、板状部２０ａ側にレンズ孔２０ｆが開口形成されている。レンズ孔２０ｆは貫通孔である。電子機器保持具１０の保持部６０に保持される電子機器がカメラ機能を有している場合に、そのカメラレンズ（不図示）の配置位置に対応する位置にレンズ孔２０ｆが配置されている。なお、レンズ孔２０ｆの位置は、保持する電子機器のレンズ位置に応じて適宜調整することができる。例えば、電子機器の種類や大きさに応じてそれぞれ専用の電子機器保持具１０を製造する。そして、各電子機器が有するカメラレンズの位置に対応して、各々対応する専用の電子機器保持具１０には、異なる位置にレンズ孔２０ｆを形成することができる。
【００５１】
［実施形態３］
図８は、本考案の実施形態３に係る電子機器保持具１０Ｂの概略構成図である。実施形態３の電子機器保持具１０Ｂについては、実施形態２の電子機器保持具１０と異なる構成についてのみ説明する。実施形態３の電子機器保持具１０Ｂについて、実施形態２の電子機器保持具１０と同様の構成については、同様の符号を付し、その説明を省略する。
【００５２】
電子機器保持具１０Ｂでは、実施形態２と同様に、カバー本体２０が、一対の板状部２０ａ，２０ｂ、及び、その両者の辺縁部の一部同士を接続する接続部２０ｃを有する。実施形態３では、板状部２０ａは、内側素材２１ａと外側素材２２ａとを有して構成される。板状部２０ｂは、内側素材２１ｂと外側素材２２ｂとを有して構成される。以下、板状部２０ａについて説明するが、板状部２０ｂについても同様の構成を有するものとする。なお、接続部２０ｃも板状部２０ａと同様に内側素材と外側素材とを有してもよいし、接続部２０ｃについては一枚物の素材で構成されていてもよい。
【００５３】
内側素材２１ａは、例えば所定の厚さの皮革素材で形成され、大略長方形状であって、角が丸くＲ加工処理されている。外側素材２２ａも内側素材同様の素材であって、全体外形が内側素材２１ａと同様に角がＲ加工された大略長方形状である。内側素材２１ａと外側素材２２ａとは、カバー本体２０を二つ折りしたときに内側素材２１ａが内側、外側素材２２ａが外側となるように、両者の長方形状の面同士が重ね合わされて貼り合わされている。
【００５４】
板状部２０ａは、内側素材２１ａと外側素材２２ａとのみで貼り合わされて構成されてもよいが、実施形態３では、内側素材２１ａと外側素材２２ａとの間に補強板（不図示）が挿入されて貼り合わされている。補強板は、例えば一定の厚さを有する薄い樹脂（プラスチック）製又は紙製（例えば、ボール紙等）の板状部材であって外形形状が板状部２０ａよりも若干小さく形成されたものであってもよい。この補強板を内側素材２１ａと外側素材２２ａとの間に挿入されることにより、板状部２０ａを薄く形成しつつその曲げや折れに対する強度を向上させることができる。
【００５５】
内側素材２１ａと外側素材２２ａとは、貼り合わされた後に周囲の縁に沿ってステッチ加工により互いに縫い合わされてもよい。図８には、板状部２０ａ，２０ｂの周囲縁に沿って形成されたステッチ加工が図示されている。この場合、ステッチ加工の形成位置は、補強板の外側周囲であり、ステッチで補強板を囲むような位置であることが好ましい。もちろん、内側素材２１ａと外側素材２２ａとが相互に接着剤によって接着されることで充分な貼合せ強度が確保される場合は、ステッチ加工はしなくてもよい。また、ステッチ加工のみで充分な強度が確保される場合は、内側素材２１ａと外側素材２２ａとは接着剤による接着がされなくてもよい。
【符号の説明】
【００５６】
１，１０：電子機器保持具                        ２，２０：カバー本体
２ａ，２ｂ，２０ａ，２０ｂ：板状部              ２ｃ，２０ｃ：接続部
２ｄ，２０ｄ：切り欠き                          ２０ｅ：貫通孔
２０ｆ：レンズ孔                                ２１ａ，２１ｂ：内側素材
２２ａ，２２ｂ：外側素材                        ３，３０：掛止部材
３ａ，３０ａ：棒状部                            ３ｂ，３ｃ，３０ｂ，３０ｃ：鉤状部
３ｄ，３ｅ，３０ｄ，３０ｅ：先端部              ３０ｆ：隙間
４：着脱部材                                    ４ａ：付属部材
４ｂ：着脱部                                    ５：ストラップ
５ａ：係止部                                    ５ｂ：リング状部
６，６０：保持部
【図１】
0003202134.tif 000003
【図２】
0003202134.tif 000004
【図３】
0003202134.tif 000005
【図４】
0003202134.tif 000006
【図５】
0003202134.tif 000007
【図６】
0003202134.tif 000008
【図７】
0003202134.tif 000009
【図８】
0003202134.tif 000010